(57)【特許請求の範囲】
【請求項１】
協働して電子基板を内包する基板ケースを構成する第１ケース及び第２ケースと、
前記第１ケース及び前記第２ケースの内の少なくともいずれか一方に貼付される封印部材と、
前記封印部材を破断するための破断部を有して、該破断部が前記封印部材と対向するように配置される破断部材と、を備え、
該破断部材は、前記第１ケースと前記第２ケースとの相対移動に伴って、いずれか一方のケースと共に移動することにより前記封印部材を破断するように構成され、かつ、
前記第１ケースと前記第２ケースとが協働して前記電子基板を内包した状態において、前記封印部材及び前記破断部材が前記第１ケース及び前記第２ケースにより内包され、前記基板ケースの外部からアクセス不可能とされ、
前記破断部材が、第１被係合部及び第２被係合部を有し、
前記第１ケース又は前記第２ケースのいずれか一方が、前記第１被係合部と係合する第１係合部を有し、
相対移動の際に、前記第１係合部と前記第１被係合部とが係合することにより前記いずれか一方のケースと前記破断部材とが共に移動し、
前記第１ケース又は前記第２ケースのいずれか他方が、前記第２被係合部と係合する第２係合部を有し、
前記第２被係合部と前記第２係合部とが係合することにより前記第１ケースと前記第２ケースとの相対移動を阻止する、電子基板ユニットと、
遊技媒体を用いた遊技を実現する遊技装置体と、
該遊技装置体を遊技者に視認可能に保持する枠体と、
遊技に係る動作を制御する制御手段と、
前記遊技媒体を貯留する貯留皿と、を有する遊技機。
【発明の詳細な説明】
【技術分野】
【０００１】
本発明は、遊技機に関する。
【背景技術】
【０００２】
パチンコ機等の遊技機においては、弾球された球が遊技領域（遊技盤面又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機においては、年々遊技の態様や演出が複雑化・多様化してきており、それに伴い遊技機の動作や演出を制御するための電子基板の構造や機能も複雑化・多様化してきている。このような電子基板に対して不正な破壊や改造が行われると、遊技が適正に行われなかったり、一部の不正な遊技者に対して不当な利益が付与されてしまったりする虞がある。そのため、この電子基板及びその周囲構造に対しては、外部からのアクセスが困難となるような工夫、外部からの不正なアクセスがあった場合にその痕跡や履歴が容易に把握できるような工夫などが為される必要がある。
【０００４】
例えば特許文献１には、リーダによって読み取り可能な情報を有する情報部を含んだ封印部材がカバー部材によって覆われ、そのカバー部材が取り外される際にカバー部材が有する接触部が封印部材を破ることにより、封印部材の情報を実質的に読み取り不可能とする構成が開示されている。この構成においては、電子基板が複数のケースによって構成される基板ケース内に内包されている。
【先行技術文献】
【特許文献】
【０００５】
【特許文献１】特開２０１０−２０７６４７号公報
【発明の概要】
【発明が解決しようとする課題】
【０００６】
封印部材は、なるべく外部から人がアクセスできない位置又はアクセスが困難な位置に配置されることが好ましい。そして、万一基板ケースが開放されて内部の電子基板に人がアクセスした場合には、封印部材が破断される等、確実にその痕跡が残存することが好ましい。
【０００７】
本願発明は、上記の事情に鑑みて為されたもので、電子基板に対する不正行為を効果的に予防し、万一不正行為が行われた際に、より確実にその痕跡を残存させることのできる電子基板ユニット及び遊技機を提供することを例示的課題とする。
【課題を解決するための手段】
【０００８】
上記の課題を解決するために、本願における例示的側面としての電子基板ユニットは、協働して電子基板を内包する基板ケースを構成する第１ケース及び第２ケースと、第１ケース及び第２ケースの内の少なくともいずれか一方に貼付される封印部材と、封印部材を破断するための破断部を有して、破断部が封印部材と対向するように配置される破断部材と、を備えた電子基板ユニットであって、破断部材は、第１ケースと第２ケースとの相対移動に伴って、いずれか一方のケースと共に移動することにより封印部材を破断するように構成され、かつ、第１ケースと第２ケースとが協働して電子基板を内包した状態において、封印部材及び破断部材が第１ケース及び第２ケースにより内包され、基板ケースの外部からアクセス不可能とされている。
【０００９】
本願における他の例示的側面としての遊技機は、遊技媒体を用いた遊技を実現する遊技装置体と、遊技装置体を遊技者に視認可能に保持する枠体と、遊技に係る動作を制御する制御手段と、遊技媒体を貯留する貯留皿と、上記の電子基板ユニットと、を有する。
【００１０】
本発明の更なる目的又はその他の特徴は、以下添付図面を参照して説明される好ましい実施形態によって明らかにされるであろう。
【発明の効果】
【００１１】
電子基板に対する不正行為を効果的に予防し、万一不正行為が行われた際に、より確実にその痕跡を残存させることのできる電子基板ユニット及び遊技機を提供することができる。
【図面の簡単な説明】
【００１２】
【図１】実施形態１に係るパチンコ機の正面図である。
【図２】図１に示すパチンコ機の背面図である。
【図３】実施形態１に係る主制御基板ユニットの平面図である。
【図４】実施形態１に係る主制御基板ユニットの分解斜視図である。
【図５Ａ】封印部の構造を説明するために、主制御基板ユニットにおける封印部の近傍を概略的に拡大した概略構造図であって、主制御基板ケースの閉状態を示す図である。
【図５Ｂ】図５ＡにおけるＰ−Ｐ断面図である。
【図５Ｃ】図５ＡにおけるＱ−Ｑ断面図である。
【図６】封印部におけるトップケース及び封印シールを分解して封印部近傍を示した図である。
【図７】図６に示す破断部材の外観斜視図である。
【図８Ａ】図７に示す破断部材を内部空間にセットする様子を示す図である。
【図８Ｂ】図７に示す破断部材を内部空間にセットする様子を示す図である。
【図８Ｃ】図７に示す破断部材を内部空間にセットする様子を示す図である。
【図８Ｄ】図７に示す破断部材を内部空間にセットする様子を示す図である。
【図９】封印シールの表面及び裏面を模式的に示した図である。
【図１０】トップケースを内面側から見た図である。
【図１１】実施形態２に係る主制御基板ユニットの封印部近傍の概略構成を示す概略構成図である。
【図１２】封印部において破断部材を分解して示した分解図である。
【発明を実施するための形態】
【００１３】
［実施形態１］
以下、実施形態１について図面を用いて説明する。図１は、実施形態１に係る遊技機としてのパチンコ機２の正面図である。図２は、図１に示すパチンコ機２の背面図である。このパチンコ機２は、枠体３、遊技盤（遊技装置体）６、前面ガラス（前面透明板）１０、発射ユニット（不図示）、貯留皿１４を有し、遊技盤６には、遊技媒体としての球２３の流下による遊技を実現するための遊技領域が形成されている。また、遊技盤６の裏面側には、主制御基板ユニット（電子基板ユニット）Ｕ（図２参照）が取り付けられているが、詳細は後述する。
【００１４】
パチンコ機２は、後述する発射ハンドル１５を遊技者が操作することによって、遊技領域１６に向けて球２３が発射ユニットによって発射され、球２３の流下による遊技が実現される。なお、遊技機は、パチンコ機２の他にパチンコ式スロットマシン機、コインゲーム機等のアーケードマシン、各種ゲーム機を概念することができ、要するに、遊技媒体を用いた遊技を実現する遊技装置体を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施形態においては、デジパチ遊技（１種遊技、図柄変動遊技ともいう。）を実現するいわゆる１種タイプのパチンコ機について例示説明する。
【００１５】
なお、本実施形態１においては、遊技機としてパチンコ機２を例示して説明するが、もちろん遊技機がパチンコ式スロットマシン機の場合にも本発明を適用することができる。その場合においては、パチンコ式スロットマシン機が有する遊技装置体としての回胴装置が、遊技媒体としてのメダルを用いた遊技を実現することとなる。
【００１６】
パチンコ機２の枠体３は、遊技盤６を含む遊技盤ユニットを保持するためのもので、このパチンコ機２の周囲及び前方又はそれに加えて後方を囲むように構成される。枠体３の内部側には、遊技盤ユニットの他にも後述する各種電子基板や遊技媒体用の経路等各種機構部品が配置され、枠体３によって周囲側面及び前面又はそれに加えて後方からのパチンコ機２内部側への不正アクセスが防止されるようになっている。
【００１７】
パチンコ機２の周囲を囲む筐体枠４、その内側にヒンジ部（揺動支持部）２２によって前方開閉可能に揺動支持されて遊技盤ユニットを保持する機枠９、機枠９の前方にヒンジ部２２によって前方開閉可能に揺動支持されて前面ガラス１０とその周囲を装飾する装飾部材３２とを保持する装飾枠１２とを有して枠体３が構成される。なお、前面ガラス１０は、枠体３内部側に保持された遊技盤６を前方から遊技者が視認することができるようにするための透明部材である。
【００１８】
貯留皿１４は、遊技者の持ち球を貯留するためにパチンコ機２の前面に配置された皿部材であって、本実施形態１においては上皿１４ａと下皿１４ｂとを有している。上皿１４ａは、球排出ボタン１４ｃを有して遊技盤６の下方、すなわち装飾枠１２の下方部分に配置され、下皿１４ｂは、その上皿１４ａの更に下方に配置されている。
【００１９】
遊技盤ユニットは、遊技盤面（表面）６ａ側の略中央にセンター役物７が配置された遊技盤６を有しており、その遊技盤面６ａには多数の遊技釘も配置されている。センター役物７の中央部には、図柄表示装置７ａが配置されるとともに、この図柄表示装置７ａの表示画面（映像表示面）７ｂを露出させるための開口部７ｄが形成されている。
【００２０】
図柄表示装置７ａは、例えば、液晶表示装置・有機ＥＬディスプレイ・ＬＥＤ等により構成されて遊技者が遊技盤面６ａ側から視認可能となるように配置され、その表示画面７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００２１】
遊技盤６は、その遊技盤面６ａ側に球２３の流下による遊技を実現するための遊技領域１６を構成するための遊技装置体であり、遊技盤面６ａを前方から遊技者にとって視認可能となるように枠体３（本実施形態１においては、枠体３の一部としての機枠９。）に保持されている。その遊技盤面６ａには略円形状に周囲を囲むようにレール飾りが取り付けられており、レール飾りの内周面が遊技盤面６ａに対して立設するように配置されている。そして、その内周面によって画定され、内周面に面した略円形状の領域が遊技領域１６となっている。
【００２２】
遊技釘は、遊技領域１６を流下する球２３と衝突してその流下方向を変更させるものであり、多数が遊技領域内に配置されている。また、遊技領域１６には、普通入賞口２８、中央始動口２９、及び中央大入賞口３１等が配置されており、流下する球２３が各流入口に流入したり、遊技釘に衝突したりすることによって、球２３による流下遊技を楽しむことができるようになっている。
【００２３】
図示しない球発射装置により球２３が発射されると、球２３はレール飾りの内周面に沿いつつ進行して遊技領域１６内の上部に至る。その後、球２３は、複数の通過軌跡に沿って移動し、遊技釘に衝突しつつ遊技領域１６を下方に流下する。あるものは普通入賞口２８に流入して一定数の景品球払出しの契機となり、あるものは通過ゲート３３を通過し、あるものはいずれの入賞口にも流入せずに遊技領域内最下部に位置するアウト口３０に流入してアウト球としてパチンコ機２の外部側へと排出される。
【００２４】
球２３が通過ゲート３３を通過すると、その通過ゲート３３の通過に起因して状態変更抽選手段（不図示）による抽選が行われ、その抽選結果が当たりの場合に、中央始動口２９の開閉羽根が開放され、球が入球し易い状態を実現する。この中央始動口２９に流入すると、その流入に起因して図柄表示装置７ａの表示図柄７ｃが回転表示を開始し、その表示図柄７ｃが所定の図柄（例えば、「７・７・７」。）で停止表示すれば、図柄変動遊技における大当りが発生する。そして、中央大入賞口３１が開放して多量の入賞球を受け入れ、多量の景品球が貯留皿１４へと払い出されるようになっている。
【００２５】
遊技盤６の裏面側には、パチンコ機２の全体の動作制御を行う制御手段としての主制御基板（電子基板）３４を有する主制御基板ユニットＵが配置されている。その主制御基板ユニットＵは、主制御基板３４、主制御基板３４を内包する主制御基板ケース（基板ケース）３５、後述する封印シール（封印部材）４１、破断部材５１を有して構成されている。
【００２６】
また、遊技盤６の裏面側には、図柄表示装置７ａの画像演出の制御を行う画像制御基板（図示せず）を収容した画像制御基板ケース３６と、景品球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００２７】
なお、本実施形態１では、主制御基板３４について例示して説明するが、他の制御基板についても同様の構造を採用することが可能である。すなわち、画像制御基板（電子基板）、画像制御基板ケース（基板ケース）、封印シール及び破断部材を有して画像制御基板ユニット（電子基板ユニット）を構成することが可能である。同様に、払出制御基板（電子基板）、払出制御基板ケース（基板ケース）、封印シール及び破断部材を有して払出制御基板ユニット（電子基板ユニット）を構成したり、電源基板（電子基板）、電源基板ケース（基板ケース）、封印シール及び破断部材を有して電源基板ユニット（電子基板ユニット）を構成することが可能である。
【００２８】
以下、本発明の実施形態１に係る主制御基板ユニット（電子基板ユニット）Ｕについて説明する。以下の説明においては、上下及び前後左右の方向は、遊技者からパチンコ機２を見た際の方向に基づいて定義し、図中に適宜図示する。
【００２９】
図３は、主制御基板ユニットＵの平面図であり、図４は、主制御基板ユニットＵの分解斜視図である。主制御基板ケース３５は、遊技盤６の裏面側に着脱自在に固定されるボトムケース（第１ケース、基板ケースの一部）３５ａと、ボトムケース３５ａに対して着脱自在に固定されるトップケース（第２ケース、基板ケースの一部）３５ｂとの２つのケースを有して基板ケースが構成され、これら両者が協働して主制御基板３４を内部に内包するようになっている。主制御基板３４は、例えば、トップケース３５ｂの内面側に形成された開口部に固定されて、トップケース３５ｂとボトムケース３５ａとが係合することにより、主制御基板ケース３５の内部に収容されるようになっている。この収容された状態では、主制御基板３４に対して外部から接触することはできない。
【００３０】
主制御基板３４の表面（ここでいう表面は、前面側である場合と後面側である場合とを含む。）には、ＲＯＭ、ＲＡＭ、ＣＰＵ等の電子デバイス、接続コネクタ等を含む電子部品３４ｂが実装されている。主制御基板３４の周囲には、固定部としての固定穴３４ａが形成されている。主制御基板３４の後側から固定穴３４ａに固定ネジを挿入して、この固定ネジとトップケース３５ｂのネジ穴とをネジ止めすることにより、主制御基板３４がトップケース３５ｂ内に固定されるようになっている。
【００３１】
本実施形態１に係る主制御基板ケース３５では、ボトムケース３５ａとトップケース３５ｂとが図３中左右方向にスライド移動することによって着脱可能とされている。すなわち、ボトムケース３５ａに対してトップケース３５ｂが図中矢印Ｘ方向に相対移動することによって主制御基板ケース３５が電子基板３４を内包した状態で閉状態となり、ボトムケース３５ａに対してトップケース３５ｂを−Ｘ方向（矢印Ｘの逆方向）に相対移動させることによって主制御基板ケース３５が開状態となるような構造となっている。
【００３２】
主制御基板ケース３５の上側部には、痕跡残留部としての封止部が形成されている。封止部は、ボトムケース３５ａの上側壁面に対して突出して形成された第１カシメ部３５ｇと、トップケース３５ｂに連結部材３５ｈを介して接続された第２カシメ部３５ｋと、第１カシメ部３５ｇと第２カシメ部３５ｋとの間に収容可能な封止片３５ｍと、を有して構成される。主制御基板ケース３５の閉状態で、第１カシメ部３５ｇと第２カシメ部３５ｋとの間に封止片３５ｍを挿入することにより、封止片３５ｍが第１カシメ部３５ｇと第２カシメ部３５ｋとに嵌合及び係合し、主制御基板ケース３５の開放ができないようになっている。
【００３３】
主制御基板ユニットＵの図３中右端部には、封印部５０（ボトムケース封印部（第１ケース封印部）５０ａ、トップケース封印部（第２ケース封印部）５０ｂ）が形成されている。この封印部５０は、ボトムケース３５ａとトップケース３５ｂとが閉状態から開状態となるように移動した際に、封印シール（封印部材）４１を破断するための構造部である。
【００３４】
図５Ａ〜図５Ｃは、この封印部５０の構造を説明するために、主制御基板ユニットＵにおける封印部５０の近傍を概略的に拡大した概略構造図である。図５Ａにおいては、主制御基板ケース３５の閉状態を示している。この閉状態では、封印シール４１と後述する破断部材５１とがボトムケース３５ａとトップケース３５ｂとに内包されて、外部からアクセスできないようになっている。そのため、主制御基板ケース３５の閉状態で、封印シール４１にも破断部材５１にも人が触ることができない。不用意に封印シール４１を損傷したり破断してしまうといった事故を防止することができる。なお、図５Ｂは、図５ＡにおけるＰ−Ｐ断面（略中央断面）を示した図であり、図５Ｃは、図５ＡにおけるＱ−Ｑ断面を示した図である。Ｑ−Ｑ断面は、後述するトップケース３５ｂの係合爪（第１係合部）３５ｅを通る断面である。
【００３５】
主制御基板ケース３５を開放しない限り封印シール４１に触ることができないので、封印シール４１に対する不正行為（剥がす、改造する等）も効果的に防止している。一方、後述するように、主制御基板ケース３５の開放に伴い封印シール４１が確実に破断されるので、主制御基板ケース３５の不正開放を迅速に発見することができる。
【００３６】
図６は、トップケース３５ｂ及び封印シール４１を分解して封印部５０（主としてボトムケース封印部５０ａ）近傍を示した図である。ボトムケース封印部５０ａにおいて、ボトムケース３５ａは、破断部材５１を内包するための包囲壁５２を有している。包囲壁５２は、ボトムケース３５ａの側壁３５ｃから一定距離離間して立設する立設部５２ａと、その立設部５２ａからＬ字状に屈曲して側壁３５ｃに向けて延びる上面部５２ｂとを有している。
【００３７】
上面部５２ｂと側壁３５ｃとの間には隙間３５ｄが開口形成されている。立設部５２ａと上面部５２ｂと側壁３５ｃとで囲まれるように内部空間５３が形成されている。隙間３５ｄから破断部材５１が挿入されて内部空間５３内に収容されるようになっている。また、側壁３５ｃには、破断部材５１の側面５１ｄに対応する位置に、縦スリット３５ｆも開口形成されている。
【００３８】
図７は、破断部材５１の外観斜視図である。破断部材５１は、主制御基板ケース３５の開放時に封印シール４１を破断するためのものである。破断部材５１は、全体として断面「く」の字状の構造部材であって、封印シール４１を破断するための破断部５１ａが形成されている。破断部５１ａは、例えば封印シール４１を切断できる程度に鋭利なカッター刃状であってもよいし、鋸刃状であってもよい。
【００３９】
破断部材５１は、例えば図に示すように翼状に左右に突出形成された係合突起（第１被係合部）５１ｂを有している。この係合突起５１ｂは、トップケース３５ｂの係合爪（第１係合部）３５ｅと係合することにより、トップケース３５ｂの−Ｘ方向の移動に伴って破断部材５１を共に移動させるためのものである。係合突起５１ｂの前方部には受け面として機能する斜面５１ｃが形成されている。破断部材５１を内部空間５３にセットした後にトップケース３５ｂをＸ方向に移動して主制御基板ケース３５を閉状態とする際に、係合爪３５ｅがこの斜面５１ｃに受けられて、係合突起５１ｂに乗り上げつつ乗り越えていく。
【００４０】
図８Ａ〜図８Ｄは、破断部材５１を内部空間５３にセットする様子を示す図である。破断部材５１の下端部５１ｅをボトムケース３５ａの側壁３５ｃに対向させて配置し（図８Ａ参照）、破断部材５１の下端部５１ｅを隙間３５ｄに挿入する。側面５１ｄを縦スリット３５ｆに進入させつつ破断部材５１を図中矢印α方向に回転させると（図８Ｂ参照）、破断部材５１が内部空間５３内に収容される（図８Ｃ，図８Ｄ参照）。
【００４１】
この状態で、破断部材５１の破断部５１ａは、隙間３５ｄに対応する位置に配置されているが、破断部材５１を立設部５２ａに当接するまで奥に押し込むと、破断部５１ａは側壁３５ｃから突出しないような位置となる（図８Ｄ参照）。そして、破断部材５１の側面５１ｄの長さ寸法Ｌ１が縦スリット３５ｆの長さ寸法Ｌ２以下とされているので、破断部材５１は側壁３５ｃ方向にスライド移動可能とされている。破断部材５１を側壁３５ｃ側に移動させると、破断部５１ａが側壁３５ｃから突出するようになっている（図８Ｃ参照）。
【００４２】
なお、破断部材５１をボトムケース３５ａの内部空間５３内にセットする際に、図８Ｂ，Ｃに示すように破断部材５１を矢印α方向に回転させる場合や図８Ｄに示すように破断部材５１をＸ方向にスライド移動させる場合、また破断部材５１が側壁３５ｃに向かって−Ｘ方向にスライド移動する場合には、破断部材５１の側面５１ｄが縦スリット３５ｆ内を摺動して、スライドガイドとして機能する。また、内部空間５３内にセットされている破断部材５１が側壁３５ｃに向かって−Ｘ方向にスライド移動する際には、破断部材５１の下端部５１ｅがストッパとして機能することによって、破断部材５１が一定以上―Ｘ方向に移動しないようになっている。それにより、破断部材５１のボトムケース３５ａからの脱落が防止されている。また、トップケース３５ｂの係合爪３５ｅと破断部材５１の係合突起５１ｂとが係合している場合には、トップケース３５ｂの−Ｘ方向移動を規制する機能も発揮する。
【００４３】
このように、破断部材５１を内部空間５３にセットした後に、封印シール４１がボトムケース３５ａの側壁３５ｃから包囲壁５２の上面部５２ｂにかけてＬ字状に貼付される。封印シール４１は、図６に示す分解状態から、矢印Ｙ方向に移動することにより、側壁３５ｃから上面部５２ｂにかけて貼付される。図９は、封印シール４１の表面及び裏面を模式的に示した図である。封印シール４１は、長方形のシールであり、表面には識別情報としてのシリアル番号４１ａが印刷されている。封印シール４１の裏面には、シリアル番号４１ａ等個々の遊技機を特定するための情報を格納したＩＣチップ４１ｂと、ＩＣチップ４１ｂの情報を電波によって送信するためのアンテナ部４１ｃと、が貼付されている。ＩＣチップ４１ｂは、封印シール４１の略中央に配置されており、アンテナ部４１ｃは対角線に沿って配置されている。
【００４４】
ＩＣチップ４１ｂに格納された情報は、アンテナ部４１ｃが電波によって送信可能に構成されており、図示しない情報リーダを用いて情報を読み取ることが可能である。アンテナ部には、電波によって情報を送信するためのループを構成するためのスリットが設けられており、このスリットの近傍に切り欠き部４１ｄが形成されている。切り欠き部４１ｄが形成されていることにより、封印シール４１が剥がされたり封印シールに外部から力が加えられたりした際にアンテナ部４１ｃが破損し、電波による情報送信が不可能な状態となる。
【００４５】
本実施の形態においては、封印シール４１は紙製であるが、もちろん封印部材がプラスチックフィルムや布、金属板等であってもよい。この封印シール４１がボトムケース３５ａにおいて、側壁３５ｃから上面部５２ｂにかけて貼付されている。その際、隙間３５ｄに対応する位置にＩＣチップ４１ｂ又はアンテナ部４１ｃが配置されるように貼付される。外部応力に脆弱とされた切り欠き部４１ｄが隙間３５ｄに対応する位置に配置されれば、一層好ましい。破断部材５１が側壁３５ｃ方向にスライド移動して破断部５１ａが隙間３５ｄから突出すれば、容易に情報部（ＩＣチップ４１ｂやアンテナ部４１ｃ）が破断されるようになっている。
【００４６】
封印シール４１を貼付した後に、ボトムケース３５ａに対してトップケース３５ｂがセットされる。ボトムケース３５ａに対してトップケース３５ｂをセットする際には、図６に示すように、まずボトムケース３５ａに対して−Ｘ方向にずらした状態でトップケース３５ｂをボトムケース３５ａにかぶせる（図中Ｙ方向への移動）。その後、ボトムケース３５ａに対し、トップケース３５ｂを矢印Ｘ方向にスライド移動させる。
【００４７】
図１０は、トップケース３５ｂを内面側、すなわちボトムケース３５ａに対向する側から見た図である。トップケース３５ｂの内面（トップケース封印部５０ｂの内面）には、２つの係合爪３５ｅが設けられている。この係合爪３５ｅは、破断部材５１の係合突起５１ｂに対応するように位置している。そして、トップケース３５ｂがボトムケース３５ａにセットされ、主制御基板ケース３５が閉鎖した状態において、係合爪３５ｅが係合突起５１ｂの後方部５１ｆに係合するようになっている。
【００４８】
具体的には、トップケース３５ｂがボトムケース３５ａに対し、−Ｘにずれた状態で、トップケース３５ｂをボトムケース３５ａにかぶせると、係合爪３５ｅは係合突起５１ｂよりも前方、すなわち−Ｘ方向に位置することとなる。そして、そのままトップケース３５ｂをボトムケース３５ａに対してＸ方向にスライド移動すると、係合爪３５ｅが係合突起５１ｂに当接する。更に、トップケース３５ｂをボトムケース３５ａに対してＸ方向にスライド移動すると、係合爪３５ｅが斜面５１ｃに受けられて弾性変形し、係合突起５１ｂに乗り上げる。そして係合突起５１ｂを乗り越えると、係合爪３５ｅがその弾性によって元の位置に復帰し、係合突起５１ｂの後方部５１ｆと係合する。
【００４９】
この状態で、ボトムケース３５ａとトップケース３５ｂとは閉状態となり、主制御基板３４を内部に内包することとなる。そして、この閉状態で封止片３５ｍが第１カシメ部３５ｇと第２カシメ部３５ｋとに挿入されることにより、主制御基板３４が主制御基板ケース３５内に開放不可能に封印される。
【００５０】
この主制御基板ケース３５の閉状態において、封印シール４１も破断部材５１も主制御基板ケース３５内に内包され、外部からアクセスできないようになっている。したがって、封印シール４１や破断部材５１への不正なアクセスが防止され、また、これらの不用意な破損等が防止されている。
【００５１】
この閉状態から、不正に開放するためにトップケース３５ｂをＸ方向にスライド移動させると、係合爪３５ｅが係合突起５１ｂに係合しているために、トップケース３５ｂの移動と共に破断部材５１もＸ方向に移動する。その結果、破断部材５１が側壁３５ｃに向かって移動することとなり、隙間３５ｄから破断部５１ａが突出する。そして、破断部５１ａにより封印シール４１の情報部が破断されるのである。
【００５２】
主制御基板ケース３５を不正に開放すると、確実に封印シール４１の情報部が破壊されるので、封印シール４１の破断が目視で確認できる上に、情報リーダによって封印シール４１のデータを読み取ることができなくなる。したがって、主制御基板３４に対する不正行為を検査する検査員（例えば、パチンコホール店員等）が、情報リーダを用いて検査すれば、封印シール４１の破断により封印シール４１のデータが読み取れなくなっていることに基づき、その主制御基板ケース３５が不正に開放され、主制御基板３４に不正なアクセスがあったことを迅速に発見することができる。
【００５３】
［実施形態２］
図１１は、実施形態２に係る主制御基板ユニットＵのボトムケース封印部５０ａ近傍の概略構成を示す概略構成図である。図１１においては、トップケース３５ｂを省略して示している。また、本実施形態２において、上記実施形態１と同様の構成については、同様の符号を付し、説明を省略する。
【００５４】
ボトムケース封印部５０ａにおいて、ボトムケース３５ａの側壁３５ｃの近傍に破断部材５１が配置されている。図１２は、封印部５０（主としてボトムケース封印部５０ａ）において破断部材５１を分解して示した分解図である。ボトムケース３５ａは、側壁３５ｃから所定距離離間した位置に立設壁３５ｎを有しており、その側壁３５ｃと立設壁３５ｎとの間に破断部材５１が挿入されるようになっている。破断部材５１は、図に示すように矢印形状又は傘形状に形成された係合体（第２被係合部）５１ｇを有しており、側壁３５ｃと立設壁３５ｎとの間に破断部材５１が挿入された際に、この係合体５１ｇがボトムケース３５ａの係合壁（第２係合部）３５ｐに係合するようになっている。
【００５５】
側壁３５ｃと立設壁３５ｎとの間に破断部材５１が挿入された状態で、破断部材５１の破断部５１ａは側壁３５ｃから外方（側方）に突出しない位置となっている。また、この状態で、係合体５１ｇと係合壁３５ｐとが係合して、破断部材５１の側壁３５ｃに向かう方向への移動が規制されている。封印シール４１は、側壁３５ｃと破断部材５１の上面部とにかけてＬ字状に貼付されてもよいが、破断部材５１を跨ぐようにして側壁３５ｃと立設壁３５ｎとにコ字状に貼付されることが好ましい。この場合においては、封印シール４１は、破断部材５１に貼付されない。封印シール４１が破断部材５１に貼付されないことで、封印シール４１に阻害されずにスムーズに破断部材５１をスライド移動させることができる。ひいては、破断部材５１のスライド移動による封印シール４１の破断（切断）をスムーズに実現することができる。
【００５６】
封印シール４１が、側壁３５ｃと立設壁３５ｎとにコ字状に貼付される場合には、破断部材５１の上面部に封印シール４１が貼付されてしまわないよう、立設壁３５ｎの高さがセット状態における破断部材５１の上面部の高さよりも高く構成されていてもよい。それにより、側壁３５ｃの高さがセット状態における破断部材５１の上面部の高さよりも低い場合であっても、封印シール４１が破断部材５１の上面部に貼付されないようにすることができる。
【００５７】
また、図１１に二点鎖線で示すように、断面略Ｌ字形状とされた上面部材５４を破断部材５１の上面部と立設壁３５ｎとを覆うように配置し、封印シール４１を側壁３５ｃから上面部材５４の平面部５４ａ又は立面部５４ｂにかけて貼付してもよい。
【００５８】
破断部材５１が側壁３５ｃ側へとスライド移動すると、破断部材５１に当接した封印シール４１が側壁３５ｃ側へと付勢されて、上面部材５４も側壁３５ｃ側へと移動しようとする。しかし、上面部材５４の立面部５４ｂの側壁３５側への移動が立設壁３５ｎに規制されることにより、それ以上封印シール４１が側壁３５ｃ側へと移動できなくなり、その結果、破断部５１ａによって封印シール４１が破断（切断）される。
【００５９】
封印シール４１が破断部材５１に直接貼付されないので、破断部材５１のスムーズなスライド移動を確保することができる。また、上面部材５４の平面部５４ａが破断部材５１の上方への移動を規制する機能も発揮する。
【００６０】
トップケース３５ｂの内面側に係合爪３５ｅが形成され、その係合爪３５ｅが破断部材５１の係合突起５１ｂを乗り越えて係合突起５１ｂの後方部５１ｆと係合する点においては、実施形態２も実施形態１と同様である。
【００６１】
ただし、実施形態２においては、この主制御基板ケース３５の閉状態において、破断部材５１の側方（すなわち側壁３５ｃに向かう方向）への移動が規制されているため、封止片３５ｍを用いるまでもなく、トップケース３５ｂとボトムケース３５ａとのＸ方向に沿ったスライド移動が不可能とされている。したがって、この係合体５１ｇと係合壁３５ｐとが、封止機能まで発揮している。
【００６２】
トップケース３５ｂの上面であって、破断部材５１の係合体５１ｇに対応する位置は、薄肉部３５ｑとされている。主制御基板ケース３５を開放する必要が生じたときは、この薄肉部３５ｑを破壊して、係合体５１ｇの傘形状部分を破壊し、破断部材５１を側壁３５ｃ方向に移動可能にする必要がある。トップケース３５ｂの一部が薄肉部３５ｑとされているので、その部分の破壊が比較的容易とされており、係合体５１ｇへのアクセスが比較的容易である。
【００６３】
ただし、必ず、薄肉部３５ｑには破壊痕跡が残存し、係合体５１ｇにも破壊痕跡が残存することとなる。また、係合体５１ｇにアクセスするために封印シール４１の一部を破壊する必要がある。薄肉部３５ｑを介して係合体５１ｇの傘形状部分を破壊する場合に、封印シール４１の情報部（ＩＣチップ４１ｂやアンテナ部４１ｃ）が破壊（切断）されるような位置に、封印シール４１の貼付位置や情報部の配置が調整されていることが好ましい。より具体的には、係合体５１ｇの傘形状部分に対応する略直上方近傍にＩＣチップ４１ｂやアンテナ部４１ｃが配置されることが好ましい。薄肉部３５ｑを介して行われる不正行為時に、確実に情報部を破壊させることができ、不正の早期発見に寄与する。
【００６４】
そして、係合体５１ｇを破壊した後に、トップケース３５ｂを図中−Ｘ方向へとスライド移動させることにより、主制御基板ケース３５が開放可能となる。そのとき、破断部材５１の破断部５１ａが側壁３５ｃから側方に突出し、封印シール４１を破断する。破断部５１ａに対応する位置に封印シール４１の情報部を位置させていれば、情報部を確実に破壊することができる。結果、封印シール４１の情報部が情報リーダで読み取り不可能となる。
【００６５】
なお、本願発明は上記実施形態に限定されるものではなく、要旨を逸脱しない範囲で構成要素を変形して具体化することができる。また、上記実施形態に開示されている複数の構成要素の適宜組合せにより種々の発明を形成してもよいし、実施形態に示される全構成要素からいくつかの構成要素を削除してもよい。更に、複数の実施形態にわたる構成要素を適宜組み合わせることも可能である。
【符号の説明】
【００６６】
Ｌ１，Ｌ２：長さ寸法
Ｕ：主制御基板ユニット（電子基板ユニット）
Ｘ，Ｙ，α：矢印
２：パチンコ機（遊技機）
３：枠体
４：筐体枠（枠体の一部）
６：遊技盤（遊技装置体）
６ａ：遊技盤面（表面）
７：センター役物
７ａ：図柄表示装置
７ｂ：表示画面（映像表示面）
７ｃ：表示図柄
７ｄ：開口部
９：機枠（枠体の一部）
１０：前面ガラス（前面透明板）
１２：装飾枠（枠体の一部）
１４：貯留皿
１４ａ：上皿
１４ｂ：下皿
１４ｃ：球排出ボタン
１５：発射ハンドル
１６：遊技領域
２２：ヒンジ部（揺動支持部）
２３：球（遊技媒体）
２８：普通入賞口
２９：中央始動口
３０：アウト口
３１：中央大入賞口
３２：装飾部材
３３：通過ゲート
３４：主制御基板（制御手段、電子基板）
３４ａ：固定穴
３４ｂ：電子部品
３５：主制御基板ケース（基板ケース）
３５ａ：ボトムケース（第１ケース、基板ケースの一部）
３５ｂ：トップケース（第２ケース、基板ケースの一部）
３５ｃ：側壁
３５ｄ：隙間
３５ｅ：係合爪（第１係合部）
３５ｆ：縦スリット
３５ｇ：第１カシメ部（残留痕跡部）
３５ｈ：連結部材（残留痕跡部）
３５ｋ：第２カシメ部（残留痕跡部）
３５ｍ：封止片（残留痕跡部）
３５ｎ：立設壁
３５ｐ：係合壁（第２係合部）
３５ｑ：薄肉部
３６：画像制御基板ケース
３７：払出制御基板ケース
３８：電源基板ケース
３９：外部出力端子板
４１：封印シール（封印部材）
４１ａ：シリアル番号（識別情報）
４１ｂ：ＩＣチップ（情報部）
４１ｃ：アンテナ部（情報部）
４１ｄ：切り欠き部
５０：封印部
５０ａ：ボトムケース封印部（第１ケース封印部）
５０ｂ：トップケース封印部（第２ケース封印部）
５１：破断部材
５１ａ：破断部
５１ｂ：係合突起（第１被係合部）
５１ｃ：斜面
５１ｄ：側面
５１ｅ：下端部
５１ｆ：後方部
５１ｇ：係合体（第２被係合部）
５２：包囲壁
５２ａ：立設部
５２ｂ：上面部
５３：内部空間
５４：上面部材
５４ａ：平面部
５４ｂ：立面部
【図１】
0005656218.tif 000002
【図２】
0005656218.tif 000003
【図３】
0005656218.tif 000004
【図４】
0005656218.tif 000005
【図５Ａ】
0005656218.tif 000006
【図５Ｂ】
0005656218.tif 000007
【図５Ｃ】
0005656218.tif 000008
【図６】
0005656218.tif 000009
【図７】
0005656218.tif 000010
【図８Ａ】
0005656218.tif 000011
【図８Ｂ】
0005656218.tif 000012
【図８Ｃ】
0005656218.tif 000013
【図８Ｄ】
0005656218.tif 000014
【図９】
0005656218.tif 000015
【図１０】
0005656218.tif 000016
【図１１】
0005656218.tif 000017
【図１２】
0005656218.tif 000018